(57)【特許請求の範囲】
【請求項１】
相手方の無線通信装置と音声信号を用いて無線通信を行う無線通信装置において、
前記相手方の無線通信装置からの無線信号を受信して、音声信号を復調して出力する無線受信手段と、
当該無線通信装置の音声信号に従って無線信号を変調して無線送信する無線送信手段と、
前記相手方の無線通信装置との無線通信時に、前記相手方の無線通信装置から送信されて自装置である無線通信装置で無線受信された無線信号の受信信号レベルを測定する測定手段と、
前記相手方の無線通信装置における音声信号の無線送信の終了時において前記相手方の無線通信装置から送信されて自装置である無線通信装置で無線受信された送信終了識別コードに応じて、前記測定された受信信号レベルに対応する、複数のエンドピー音のうちの１つのエンドピー音を鳴動させる制御手段とを備えたことを特徴とする無線通信装置。
【請求項２】
前記制御手段は、前記送信終了識別コードを無線受信しないときに、相手方の無線通信装置が通信不可であると判断されることを特徴とする請求項１記載の無線通信装置。
【請求項３】
前記制御手段は、最後に受信した相手方の無線通信装置が通信不可と判断されたときに、当該無線通信装置の応答時にその旨を表す音を出力することを特徴とする請求項２記載の無線通信装置。
【請求項４】
前記測定手段は、相手方の無線通信装置の受信信号レベルを測定したときに、当該受信信号レベルを最後に受信した相手方の無線通信装置の受信信号レベルとして記憶手段に格納し、
前記無線通信装置は、受信信号レベル確認キーを備え、
前記制御手段は、前記受信信号レベル確認キーが押下されたときに、最後に受信した相手方の無線通信装置の受信信号レベルを表す音を出力することを特徴とする請求項１〜３のうちのいずれか１つに記載の無線通信装置。
【請求項５】
請求項１記載の複数の無線通信装置を備えたことを特徴とする無線通信システム。
【請求項６】
請求項２記載の複数の無線通信装置を備えたことを特徴とする無線通信システム。
【請求項７】
請求項３記載の複数の無線通信装置を備えたことを特徴とする無線通信システム。
【請求項８】
請求項４記載の複数の無線通信装置を備えたことを特徴とする無線通信システム。
【発明の詳細な説明】
【技術分野】
【０００１】
本発明は、無線通信装置及び複数の無線通信装置を備える無線通信システムに関する。
【背景技術】
【０００２】
特許文献１においては、送信インジケータで目視することなく送信状態を確認することができる無線機及びスピーカ付きマイクロホンが開示されている。
【０００３】
この無線機では、受信時に、低周波信号に従って変調された受信信号を受信して復調した後、復調後の低周波信号をスピーカに出力する一方、送信指示信号に応答して送信状態に切り換えられ、当該送信状態の送信時に、マイクロホンに入力される音声信号に従って搬送波信号を変調する。次いで、変調後の変調信号を送信する無線機において、上記送信指示信号に応答して送信状態に切り換えられたときに、当該送信状態を示す特定の低周波信号を発生して上記スピーカに出力する信号発生器を備える。
【０００４】
また、非特許文献１で開示された無線機の取扱説明書では、以下の機能音を発生するように構成されていることが開示されている。
（１）ＰＴＴ（Ｐｕｓｈ  Ｔｏ  Ｔａｌｋ）ビープ：送信直後に「ピッ」と鳴動して、通信開始と時の頭切れを防止する機能である。
（２）エンドピー：送信終了後に「ピッ」と鳴動して、送信の終了を伝える機能である。
【先行技術文献】
【特許文献】
【０００５】
【特許文献１】特開平６−１８８７８３号公報
【非特許文献】
【０００６】
【非特許文献１】アルインコ株式会社，「ＤＪ−ＤＰＳ７０  取扱説明書」，６０ページ，インターネット検索，２０１９年６月２４日検索，ＵＲＬ＝https://www.alinco.co.jp/direct/topics/topics_file_download/?topics_id=3963&ext_no=02&index=0&disp=inline
【発明の概要】
【発明が解決しようとする課題】
【０００７】
図３は無線通信装置Ａ，Ｂを備えた無線通信システムにおいて、従来例に係る無線送信の問題点を示す模式説明図である。
【０００８】
以下、図３を参照して、無線通信装置Ａの通話可能範囲（カバレッジ）内において２台の無線通信装置Ａ，Ｂを備える無線通信システムについて考える。いま、無線通信装置Ｂの移動によって、無線通信装置Ａの通話可能範囲の外側に出て遠くなってしまった場合には、無線通信装置Ｂの使用者は無線通信装置Ａの使用者とは通話できるか否かが分からず、無線通信装置Ｂの使用者は、無線通信装置Ａの使用者からの重要な連絡を聞けない恐れがある。
【０００９】
すなわち、無線通信装置Ｂの使用者はその移動に伴い、無線通信装置Ａの使用者との距離が離れていくと、無線通信装置Ａの使用者からの通話が聞けなくなる。そのため、受信信号レベルを確認しておかなければ、「重要な連絡を聞きのがす」等の問題が発生する恐れがある。現在のところ、受信信号レベルを測定（例えば電界強度、受信ノイズ、受信データエラー率など）して表示部を使って視認することができる。しかし、無線通信装置本体を腰に装着しイヤホンマイク等を使用した場合や、受信信号レベル確認の表示部が存在しない無線通信装置（例えば出願人製ＤＪ−ＰＸ５，ＤＪ−ＣＨ３等）を使用した場合、受信信号レベルの確認が困難となる。
【００１０】
また、アナログ無線通信装置の場合は通話距離が離れていくと通話音声にノイズが入るため、ある程度まで聴感で確認はできるが、デジタル無線通信装置の場合は通話距離に対して通話音声の劣化が無く、受信限界距離で突如通話音声が止まるため受信信号レベルの確認はより困難となる。
【００１１】
本発明の目的は以上の問題点を解決し、相手方の無線通信装置の受信信号レベルを、従来技術に比較して容易に把握することができる無線通信装置、及び無線通信システムを提供することにある。
【課題を解決するための手段】
【００１２】
本発明の一態様に係る無線通信装置は、相手方の無線通信装置と音声信号を用いて無線通信を行う無線通信装置において、
前記相手方の無線通信装置からの無線信号を受信して、音声信号を復調して出力する無線受信手段と、
当該無線通信装置の音声信号に従って無線信号を変調して無線送信する無線送信手段と、
前記相手方の無線通信装置との無線通信時に、相手方の無線通信装置の受信信号レベルを測定する測定手段と、
測定された受信信号レベルに対応する、複数のエンドピー音のうちの１つのエンドピー音を発生する音発生手段と、
音声信号の無線送信の終了時に、測定された受信信号レベルに対応する、複数のエンドピー音のうちの１つのエンドピー音を鳴動させる制御手段とを備えたことを特徴とする。
【発明の効果】
【００１３】
従って、本発明の一態様に係る無線通信装置によれば、例えば相手方の無線通信装置が離れてゆく場合であっても、相手方の無線通信装置の受信信号レベルを容易に把握することができる。
【図面の簡単な説明】
【００１４】
【図１】実施形態に係る無線通信装置の構成例を示すブロック図である。
【図２Ａ】図１の無線通信装置の制御部１０により実行される無線通信制御処理の第１の部分を示すフローチャートである。
【図２Ｂ】図１の無線通信装置の制御部１０により実行される無線通信制御処理の第２の部分を示すフローチャートである。
【図２Ｃ】図１の無線通信装置の制御部１０により実行される無線通信制御処理の第３の部分を示すフローチャートである。
【図２Ｄ】図１の無線通信装置の制御部１０により実行される無線通信制御処理の第４の部分を示すフローチャートである。
【図３】無線通信装置Ａ，Ｂを備えた無線通信システムにおいて、従来例に係る無線送信の問題点を示す模式説明図である。
【図４】無線通信装置Ａ，Ｂを備えた無線通信システムにおいて、実施形態に係る無線送信の問題点を解決したことを示す模式説明図である。
【発明を実施するための形態】
【００１５】
以下、本発明にかかる実施形態について図面を参照して説明する。なお、同一又は同様の構成要素については同一の符号を付している。
【００１６】
（実施形態）
上述の従来技術における問題を対処するため、無線通信装置による通話終了音（エンドピー）での受信信号レベルを確認できる無線通信システムを提案する。
【００１７】
図４は無線通信装置Ａ，Ｂを備えた無線通信システムにおいて、実施形態に係る無線送信の問題点を解決したことを示す模式説明図である。
【００１８】
図４において、無線通信装置Ａの通話可能範囲（カバレッジ）内において２台の無線通信装置Ａ，Ｂを備える無線通信システムについて考える。次いで、無線通信装置Ｂの移動によって、無線通信装置Ａからだんだん遠くなった場合において、無線通信装置Ｂの使用者は、通話終了音（例えば鳴動回数）によって、その通話の受信信号レベルを把握できる。
【００１９】
すなわち、無線通信装置Ｂでの無線通信装置Ａの電波の受信信号レベルが弱くなった場合には、「無線通信装置Ｂの使用者は引き返す」又は「無線通信装置Ａの使用者に離隔した状況を連絡する」等の対応行動がとれる。具体的には、本実施形態では、一般的な通話終了音（通称、スタンバイピー、エンドピーなど）はその通話が終了し、応答が可能であることを示す目的で使用するが、通話終了音をその通話の受信信号レベルに対応した複数の音パターン（例えば受信信号レベルが「強」の場合はビープが「ピピピッ」と３回鳴る、「中」の場合はビープが「ピピッ」と２回鳴る、「弱」の場合はビープが「ピッ」と１回鳴る）を鳴らすこと（受信信号レベルに応じて鳴動回数を変化させる；以下、機能１という。）で、無線通信装置Ｂの使用者は無線通信装置Ａの使用者からの通話の受信信号レベルが把握でき、「引き返す」又は「無線通信装置Ａの使用者に離隔状況を連絡する」等の対応行動をとることが可能になる。
【００２０】
図１は実施形態に係る無線通信装置の構成例を示すブロック図である。図１において、実施形態に係る無線通信装置は、アンテナ１と、受信復調部２と、受信信号レベル測定部３と、出力音声切替部４と、音声信号増幅部５と、外部イヤホン６と、識別コード復調部７と、テーブルメモリ１０ｍを有する制御部１０と、操作部１１と、ビープ音発生部１２と、マイクロホン２１と、音声信号増幅部２２と、識別コード変調部２３と、変調送信部２４と、アンテナ２５とを備える。
【００２１】
制御部１０はテーブルメモリ１０ｍを有し、図２Ａ〜図２Ｄの無線通信制御処理を実行することで当該無線通信装置の各部を制御する。ここで、テーブルメモリ１０ｍは、最後に無線通信を行った相手方の無線通信装置について、
（１）受信信号レベル（「強」、「中」、「弱」の３レベルのうちの１つ）、
（２）通信不可の圏外、もしくは通信可能な圏内であるか、すなわち、通信不可か否か、
（３）送信終了識別コードの受信フラグがセットされているか否か、
の３項目について格納する。
【００２２】
また、制御部１０には操作部１１が接続される。操作部１１は、ＰＴＴ（Ｐｕｓｈ  Ｔｏ  Ｔａｌｋ）キー１１ａ及び受信信号レベル確認キー１１ｂを有し、当該各キーを使用者が押下したときにその旨の情報信号を制御部１０に出力する。なお、以上の無線通信装置では、２本のアンテナ１，２５を備えているが、本発明はこれに限らず、１本のアンテナを備えて、サーキュレータ又は帯域通過フィルタ等を用いて共用してもよい。
【００２３】
アンテナ１に受信された無線信号は、受信復調部２により低雑音増幅、局部発振信号を用いた中間周波信号への低域周波数変換、中間周波増幅、及び復調の各処理を行って、復調後のベースバンド信号である音声信号を出力音声切替部４及び識別コード復調部７に出力する。識別コード復調部７は入力されるベースバンド信号から送信終了識別コードをデジタル復調してその情報を制御部１０に出力する。また、受信信号レベル測定部３は、受信復調部からの中間周波信号の信号レベルを、受信復調部２のフロントエンドにおける無線信号レベルに換算して測定し、測定した受信信号レベルを制御部１０に出力する。
【００２４】
ピープ音発生部１２は、制御部１０からの制御信号に基づいてビープ音を発生して出力音声切替部４に出力する。ここで、ピープ音発生部１２は、
（Ａ）ビープ音を３回鳴動するときは、「ピピピッ」なる音を発生して出力し、
（Ｂ）ビープ音を２回鳴動するときは、「ピピッ」なる音を発生して出力し、
（Ｃ）ビープ音を１回鳴動するときは、「ピッ」なる音を発生して出力し、
（Ｄ）ビープ音を長音で鳴動するときは、「ピーッ」なる音を発生して出力する。
【００２５】
出力音声切替部４は、制御部１０により制御されて、受信復調部２からの音声信号と、ビープ音発生部１２からのビープ音とを選択的に切り替えて音声信号増幅部５を介して外部イヤホン６に出力する。なお、外部イヤホン６は、本体スピーカ等であってもよい。
【００２６】
識別コード変調部２３は、制御部１０からの制御信号に基づいて、送信終了時に、送信終了識別コードに従って所定の搬送波をデジタル変調して変調送信部２４に出力する。マイクロホン２１からの音声信号は、音声信号増幅部２２を介して変調送信部２４に出力される。変調送信部２４は制御部１０により制御され、音声信号増幅部２２からの音声信号と送信終了識別コードの変調信号とを混合した後、局部発信信号を用いた高域周波数変換及び電力増幅等の処置を行って、送信すべき無線信号を発生して、アンテナ２５から放射する。
【００２７】
次いで、本実施形態において追加して備えてもよい機能２〜４について以下概説する。すなわち、実施形態では、機能１に追加して、以下の機能２〜４のうちの少なくとも１つを有してもよい。以下の実施形態では、機能１〜４を備えた無線通信装置について説明する。
【００２８】
（機能２）無線通信装置Ｂの使用者が移動して、無線通信装置Ａの通話可能範囲（カバレッジ）を超えた場合、無線通信装置Ｂからの通話も通話可能範囲を超えて応答可能範囲も超えているため、通話応答は不可能となる。このとき、無線通信装置Ｂの使用者は、無線通信装置Ａの使用者への通話応答が不可能であることを判断できない。そこで、機能１の動作に加えて機能２では、
（Ａ）無線通信装置Ｂの通話終了要因が「無線通信装置Ａからの送信終了」と、
（Ｂ）「無線通信装置Ａの通話可能範囲を超えて通信不可になったか否か」を判別するため、
無線通信装置ＡはＰＴＴキー１１ａの操作で送信終了時に、送信終了識別コード（例えばトーン、又はＤＣＳコードなど）を送信し、無線通信装置Ｂは通話終了時（入感無し）に送信終了識別コードを受信していれば、「無線通信装置Ａからの送信終了」と判断する一方、送信終了識別コードを受信していなければ「無線通信装置Ａの通話可能範囲を超えて通信不可になった」ことを判別する。そして、後者の場合において、対応した音パターン（ビープが「ピーッ」という長音）を鳴動させる。これにより、無線通信装置Ｂの使用者は、無線通信装置Ｂから無線通信装置Ａへ応答しても通話できないことを把握し、通話以外での対応行動をとることが可能になる。
【００２９】
（機能３）無線通信装置Ｂの使用者が、ある要因（例えば作業や接客対応など）で、機能２による無線通信装置Ａの使用者からの受信信号レベル、もしくは通信不可の音パターンを聞き逃した場合、どの状態で通話終了したかを判断できず適切な対応をとることができなくなる。そこで、機能３では、機能２の動作に加え、無線通信装置Ｂは最後に通話終了した受信信号レベルもしくは通信不可か否かの情報をテーブルメモリ１０ｍ（図１）に記録し、受信信号レベル確認キー１１ｂの操作により受信信号レベル、もしくは通信不可に対応した音パターン（例えば受信終了時と同じ音）を鳴らすことで、どの状態で通話終了したかを判断でき、適切な対応をとることが可能となる。
【００３０】
（機能４）無線通信装置Ｂは所定の要因（例えば作業又は接客対応など）で、機能２による無線通信装置Ａの使用者からの通信不可の音パターンを聞き逃した場合、通話応答不可能を知らずに判断できず、通話応答してしまう恐れがある。そこで、機能２の動作に加え、機能４では、無線通信装置Ｂは最後に通話終了した通信不可か否かの情報をテーブルメモリ１０ｍに記録し、ＰＴＴキー１１ａの操作による応答を行うときに、通信不可に対応した特殊動作（例えば送信する直前に受信終了時と同じ音を鳴動する）が発生することで、無線通信装置Ｂの使用者は無線通信装置Ａへ応答しても通話できないことを把握し、通話応答以外での対応行動をとることが可能になる。
【００３１】
図２Ａ〜図２Ｄは図１の無線通信装置の制御部１０により実行される無線通信制御処理を示すフローチャートである。
【００３２】
図２ＡのステップＳ１において、ＰＴＴキー１１ａの操作による送信待ち、無線通話の入感の受信待ちの状態となり、ステップＳ２において、ＰＴＴキー１１ａはオンされたか否かが判断され、ＹＥＳのときは図２ＢのステップＳ４１に進む一方、ＮＯのときはステップＳ３１に進む。
【００３３】
図２ＢのステップＳ４１において、相手方の無線通信装置が、テーブルメモリ１０ｍで通信不可であるか否かが判断され、ＹＥＳのときはステップＳ４２に進む一方、ＮＯのときはステップＳ７に進む。ステップＳ４２において、通信不可であるときに、ビープ音を「ピーッ」と長音で１回出力し、ステップＳ７で無線送信を開始する。次いで、ステップＳ８で、ＰＴＴキー１１ａはオンされたか否かが判断され、ＹＥＳのときはステップＳ８に戻る一方、ＮＯのときはステップＳ２７に進む。ステップＳ２７では、送信終了識別コードを無線送信し、ステップＳ９で無線送信を終了し、図２ＡのステップＳ２に戻る。
【００３４】
図２ＡのステップＳ３１において、受信信号レベル確認キー１１ｂがオンされたか否かが判断され、ＹＥＳのときは図２ＣのステップＳ３２に進む一方、ＮＯのときはステップＳ３に進む。図２ＣのステップＳ３２において、テーブルメモリ１０ｍで受信信号レベルは「強」であるか否かが判断され、ＹＥＳのときはステップＳ３６に進む一方、ＮＯのときはステップＳ３３に進む。図２ＣのステップＳ３３において、テーブルメモリ１０ｍで受信信号レベルは「中」であるか否かが判断され、ＹＥＳのときはステップＳ３７に進む一方、ＮＯのときはステップＳ３４に進む。図２ＣのステップＳ３４において、テーブルメモリ１０ｍで受信信号レベルは「弱」であるか否かが判断され、ＹＥＳのときはステップＳ３８に進む一方、ＮＯのときはステップＳ３５に進む。図２ＣのステップＳ３５において、テーブルメモリ１０ｍで相手方の無線通信装置が通信不可であるか否かが判断され、ＹＥＳのときはステップＳ３９に進む一方、ＮＯのときは図２ＡのステップＳ２に戻る。
【００３５】
図２ＡのステップＳ３において、無線通話の入感はあるか否かが判断され、ＹＥＳのときはステップＳ４進む一方、ＮＯのときはステップＳ２に戻る。ステップＳ４において、無線受信を開始し、受信音声信号を出力し、ステップＳ１１において受信信号レベルを測定し、ステップＳ１２において、テーブルメモリ１０ｍ内の受信信号レベルを測定した受信信号レベルで更新する。次いで、ステップＳ２１において、送信終了識別コードを受信したか否かが判断され、ＹＥＳのときはステップＳ２２に進む一方、ＮＯのときはステップＳ５に進む。ステップＳ２２では、送信終了識別コードの受信フラグをセットした後、ステップＳ５に進む。ステップＳ５では、無線通話の入感はあるか否かが判断され、ＹＥＳのときはステップＳ１１に戻る一方、ＮＯのときはステップＳ６に進む。ステップＳ６では、無線受信を終了し、受信音声信号の出力を終了し、図２ＤのステップＳ２３に進む。
【００３６】
図２ＤのステップＳ２３において、送信終了識別コードの受信フラグはセットされているか否かが判断され、ＹＥＳのときはステップＳ１３に進む一方、ＮＯのときはステップＳ２４に進む。ステップＳ２４では、相手方の無線通信装置が通信不可と判定し、ビープ音を「ピーッ」と長音で１回出力してステップＳ４０に進む。ステップＳ１３では、受信信号レベルの測定結果に応じて、ステップＳ１４，Ｓ１５，Ｓ１６に分岐して進む。受信信号レベルが「強」と判定したときは、ステップＳ１４においてビープ音を「ピピピッ」と３回鳴動して出力し、ステップＳ４０に進む。また、受信信号レベルが「中」と判定したときは、ステップＳ１５においてビープ音を「ピピッ」と２回鳴動して出力し、ステップＳ４０に進む。さらに、受信信号レベルが「弱」と判定したときは、ステップＳ１６においてビープ音を「ピッ」と１回鳴動して出力し、ステップＳ４０に進む。
【００３７】
ステップＳ４０では、受信信号レベル及び通信不可か否かの情報をテーブルメモリ１０ｍに格納して記録した後、ステップＳ２５において、送信終了識別コードの受信フラグをリセットし、図２ＡのステップＳ２に戻る。
【００３８】
なお、図２Ａ〜図２Ｄにおいて、ステップＳ１〜Ｓ９はメインの処理であり、ステップＳ１１〜Ｓ１６は機能１で必要な処理であり、ステップＳ２１〜Ｓ２５は機能２で必要な処理であり、ステップＳ３１〜Ｓ４０は機能３で必要な処理であり、ステップＳ４０〜Ｓ４２は機能４で必要な処理である。従って、
（１）機能１のみを実行する無線通信装置では、メインの処理に加えて、ステップＳ１１〜Ｓ１６の処理のみを実行すればよく、他の処理を省略してもよい。
（２）機能２のみを実行する無線通信装置では、メインの処理に加えて、ステップＳ２１〜Ｓ２５の処理のみを実行すればよく、他の処理を省略してもよい。
（３）機能３のみを実行する無線通信装置では、メインの処理に加えて、ステップＳ３１〜Ｓ４０の処理のみを実行すればよく、他の処理を省略してもよい。
（４）機能４のみを実行する無線通信装置では、メインの処理に加えて、ステップＳ４０〜Ｓ４２の処理のみを実行すればよく、他の処理を省略してもよい。なお、ステップＳ４０は機能３及び４で必要な処理であり、機能４のみで機能３を実行しないときは、ステップＳ４０は、通信不可か否かの情報のみをテーブルメモリ１０ｍに格納して記録する。
【００３９】
以上のように構成された無線通信装置では、音声信号の無線送信の終了時に、測定された受信信号レベルに対応する、複数のエンドピー音のうちの１つのエンドピー音を鳴動させる。従って、相手方の無線通信装置の受信信号レベルを、従来技術に比較して容易に把握することができる。
【００４０】
また、音声信号の無線送信の終了時に送信終了識別コードを無線送信する一方、送信終了識別コードを無線受信したときに、相手方の無線通信装置が送信終了であることを示す音を出力する。従って、相手方の無線通信装置において、送信終了を伝達できる。
【００４１】
さらに、送信終了識別コードを無線受信しないときに、相手方の無線通信装置が通信不可であると判断される。従って、相手方の無線通信装置が通信不可であることを把握できる。
【００４２】
またさらに、最後に受信した相手方の無線通信装置が通信不可と判断されたときに、当該無線通信装置の応答時にその旨を表す音を出力する。従って、相手方の無線通信装置との応答時に、相手方の無線通信装置が通信不可であることを把握できる。
【００４３】
またさらに、相手方の無線通信装置の受信信号レベルを測定したときに、当該受信信号レベルを最後に受信した相手方の無線通信装置の受信信号レベルとしてテーブルメモリ１０ｍに格納し、受信信号レベル確認キー１１ｂが押下されたときに、最後に受信した相手方の無線通信装置の受信信号レベルを表す音を出力する。従って、受信信号レベル確認キー１１ｂの押下により、使用者の希望のタイミングで相手方の無線通信装置の受信信号レベルを確認できる。
【００４４】
（変形例）
以上の実施形態において、受信信号レベルを「強」、「中」、「弱」の３レベルで表しているが、２レベル又は４レベル以上の複数の受信信号レベルで表してもよい。
【００４５】
以上の実施形態においては、ビープ音の回数又は短音、長音で、受信信号レベルの強度、通信不可の有無等を識別しているが、本発明はこれに限らず、種々の音のトーンを変更することで使用者に理解できるように構成してもよい。
【００４６】
以上の実施形態に係る無線通信装置を複数対備えることで無線通信システムを構成することができる。なお、機能２を有する無線通信装置については、相手方の無線通信装置も機能２を有することが好ましい。また、機能４を有する無線通信装置については、相手方の無線通信装置も機能４を有することが好ましい。
【産業上の利用可能性】
【００４７】
以上詳述したように、本発明に係る無線通信装置によれば、例えば相手方の無線通信装置が離れてゆく場合であっても、相手方の無線通信装置の受信信号レベルを容易に把握することができる。本発明は、無線通信装置（無線送受信機、無線機等）及び複数の無線通信装置を備えた無線通信システムに広く適用することができる。
【符号の説明】
【００４８】
１  アンテナ
２  受信復調部
３  受信信号レベル測定部
４  出力音声切替部
５  音声信号増幅部
６  外部イヤホン
７  識別コード復調部
１０  制御部
１０ｍ  テーブルメモリ
１１  操作部
１１ａ  ＰＴＴキー
１１ｂ  受信信号レベル確認キー
１２  ビープ音発生部
２１  マイクロホン
２２  音声信号増幅部
２３  識別コード変調部
２４  変調送信部
２５  アンテナ
【要約】
【課題】相手方の無線通信装置の受信信号レベルを容易に把握することができる無線通信装置等を提供する。
【解決手段】本発明に係る無線通信装置は、相手方の無線通信装置と音声信号を用いて無線通信を行う無線通信装置において、前記相手方の無線通信装置からの無線信号を受信して、音声信号を復調して出力する無線受信手段と、当該無線通信装置の音声信号に従って無線信号を変調して無線送信する無線送信手段と、前記相手方の無線通信装置との無線通信時に、相手方の無線通信装置の受信信号レベルを測定する測定手段と、測定された受信信号レベルに対応する、複数のエンドピー音のうちの１つのエンドピー音を発生する音発生手段と、音声信号の無線送信の終了時に、測定された受信信号レベルに対応する、複数のエンドピー音のうちの１つのエンドピー音を鳴動させる制御手段とを備える。
【選択図】図１【図１】
0006603431.tif 000002
【図２Ａ】
0006603431.tif 000003
【図２Ｂ】
0006603431.tif 000004
【図２Ｃ】
0006603431.tif 000005
【図２Ｄ】
0006603431.tif 000006
【図３】
0006603431.tif 000007
【図４】
0006603431.tif 000008